(57)【要約】【課題】電子写真感光体、有機電界発光素子、各種有機半導体素子等の機能材料として有用なテトラアリールメタン誘導体及びその製造方法の提供。【解決手段】下記一般式（１）で表される化合物及びそれらの製造方法。【化１】2004059557.tif 000011［式中Ｒ１は非置換若しくは置換アルキル基、または非置換若しくは置換アルコキシ基を表し、ｎ１は０、１、２、３または４の整数を表す。ｎ１が２以上の整数のとき、Ｒ１は複数の同一置換基からなるか、または複数の異なる置換基からなる。Ａｒ１、Ａｒ２、Ａｒ３、Ａｒ１１、及びＡｒ２２は、互いに同一または異なる基であって、非置換または置換の芳香族炭化水素基を表す。］【選択図】なし【特許請求の範囲】
【請求項１】
下記一般式（１）で表される化合物。
【化１】
2004059557.tif 000008
［但し、上記式中Ｒ１は非置換若しくは置換アルキル基、または非置換若しくは置換アルコキシ基を表し、ｎ１は０、１、２、３または４の整数を表す。ｎ１が２以上の整数のとき、Ｒ１は複数の同一置換基からなるか、または複数の異なる置換基からなる。Ａｒ１、Ａｒ２、Ａｒ３、Ａｒ１１、及びＡｒ２２は、互いに同一または異なる基であって、非置換または置換の芳香族炭化水素基を表す。］
【請求項２】
下記一般式（２）で表される化合物と、下記一般式（３）で表される化合物とを反応させることを特徴とする、請求項１記載化合物の製造方法。
【化２】
2004059557.tif 000009
［但し、上記式中Ｒ１０は非置換若しくは置換アルキル基、または非置換若しくは置換アルコキシ基を表し、ｎ１０は０、１、２、３または４の整数を表す。ｎ１０が２以上の整数のとき、Ｒ１０は複数の同一置換基からなるか、または複数の異なる置換基からなる。Ａｒ１０、Ａｒ２０及びＡｒ３０は、互いに同一または異なる基であって、非置換または置換の芳香族炭化水素基を表す。またＸは、塩素、臭素、またはヨウ素を表す。］
【化３】
2004059557.tif 000010
［但し、上記式中Ａｒ１１０及びＡｒ２２０は、互いに同一または異なる基であって、非置換または置換の芳香族炭化水素基を表す。Ｍは、水素、ナトリウムまたはカリウムを表す。］
【発明の詳細な説明】
【０００１】
【発明の属する技術分野】
本発明は、電子写真感光体、有機電界発光素子、各種有機半導体素子等に使用される機能材料として、とりわけ有機電界発光素子の機能材料として有用なテトラアリールメタン誘導体及びその製造方法に関するものである。
【０００２】
【従来の技術】
物質の電界発光現象を利用する電界発光素子は、液晶素子に比べて自己発光型であるために視認性が高く、ディスプレイなどに用いる場合に鮮明な表示が可能である。また完全固体素子であるために、耐衝撃性に優れる等の特徴を有しており、今後、薄型ディスプレイ，液晶ディスプレイのバックライト，あるいは平面光源などに広く用いられることが期待されている。
【０００３】
現在、実用化されている電界発光素子として硫化亜鉛等の無機材料を用いた分散型電界発光素子があるが、この分散型電界発光素子は、その駆動に比較的高い交流電圧を必要とすることから駆動回路が複雑になったり、また輝度が低いなどの問題がありあまり広く実用に供されていないのが実状である。
【０００４】
一方、有機材料を用いる有機電界発光素子は、１９８７年にＣ．Ｗ．Ｔａｎｇらによって、電子輸送性の有機蛍光材料と、正孔輸送性の有機材料を積層して、電子と正孔の両キャリヤーを、蛍光材料層中に注入して発光させる積層構成の素子が提案され、一躍脚光を浴びるところとなった。（Ｃ．Ｗ．Ｔａｎｇ　ａｎｄ　Ｓ．Ａ．ＶＡＮ　Ｓｌｙｋｅ，Ａｐｐｌ．Ｐｈｙｓ．Ｌｅｔｔ．，ｖｏｌ．５１，ｐｐ．９１３〜９１５（１９８７）　；特開平６３−２６４６２９号公報）。この素子では、１０Ｖ以下の駆動電圧で１０００ｃｄ／ｍ２以上の発光が得られたとされており、その後この提案を発端として、周辺の活発な研究が行われるようになっている。現在では様々な材料や素子構成等が提案され、実用化に向けた研究開発が活発に行われている。
【０００５】
その一方で、これまでに提案された材料を用いる有機電界発光素子には、まだ様々な問題・課題があることも事実である。いくつかの例を挙げれば、駆動状態、非駆動状態にかかわらず、保存することだけで素子の機能が劣化して発光輝度が低下したり、駆動時や非駆動時にダークスポットと呼ばれる発光しない領域が発生・成長したりする劣化が起こり、最終的には素子が短絡して破壊が起こったりする現象を挙げることができる。このような現象は、そこで用いられている材料の本質的な問題が大きいと言え、現状では実用的に寿命が充分であるとは言い難い。そのため、素子の実用に当たっては比較的短い寿命で対応可能なデバイスに限定せざるを得ない状況と言える。さらに、素子のカラー化を考えると、現状ではそれに対応できる方式、発光材料が充分には用意されていない。いずれにしても、これらの問題・課題を解決し、有機電界発光素子の広範な実用化を目指すには、そこで用いられる新たな高性能な発光材料、電荷輸送材料、電荷阻止層材料、電荷注入層材料等の新しい材料の開発が待望されている。
【０００６】
【発明が解決しようとする課題】
本発明は、このような有機電界発光素子の実状に鑑みなされたもので、低電圧で高輝度な発光、耐久性に優れた有機電界発光素子を実現させるため、発光層における発光材料やホスト材料、あるいは正孔輸送材料等として有用なテトラアリールメタン誘導体、及びその製造方法を提供することにある。これにより、高輝度発光で高耐久な有機電界発光素子の実現に寄与しようというものである。
【０００７】
【課題を解決するための手段】
本発明によれば、下記一般式（１）で表される化合物が提供される。
【化４】
2004059557.tif 000002
［但し、上記式中Ｒ１は非置換若しくは置換アルキル基、または非置換若しくは置換アルコキシ基を表し、ｎ１は０、１、２、３または４の整数を表す。ｎ１が２以上の整数のとき、Ｒ１は複数の同一置換基からなるか、または複数の異なる置換基からなる。Ａｒ１、Ａｒ２、Ａｒ３、Ａｒ１１、及びＡｒ２２は、互いに同一または異なる基であって、非置換または置換の芳香族炭化水素基を表す。］
また、本発明によれば、下記一般式（２）で表される化合物と、下記一般式（３）で表される化合物とを反応させることを特徴とする、前記一般式（１）で表わされる化合物の製造方法が提供される。
【化５】
2004059557.tif 000003
［但し、上記式中Ｒ１０は非置換若しくは置換アルキル基、または非置換若しくは置換アルコキシ基を表し、ｎ１０は０、１、２、３または４の整数を表す。ｎ１０が２以上の整数のとき、Ｒ１０は複数の同一置換基からなるか、または複数の異なる置換基からなる。Ａｒ１０、Ａｒ２０及びＡｒ３０は、互いに同一または異なる基であって、非置換または置換の芳香族炭化水素基を表す。またＸは、塩素、臭素、またはヨウ素を表す。］
【化６】
2004059557.tif 000004
［但し、上記式中Ａｒ１１０及びＡｒ２２０は、互いに同一または異なる基であって、非置換または置換の芳香族炭化水素基を表す。Ｍは、水素、ナトリウムまたはカリウムを表す。］
【０００８】
本発明による、一般式（１）で表される化合物は有機電界発光素子の構成材料として有用であり、発光層における発光材料やホスト材料、あるいは正孔輸送材料等として優れたものである。本発明により提供されるそれら化合物、ならびにその製造方法は、高輝度発光で高耐久な有機電界発光素子の実現に大きく貢献するものである。
【０００９】
【発明の実施の形態】
本発明の第一は、一般式（１）で表わされる化合物である。一般式（１）中Ｒ１は非置換若しくは置換アルキル基、または非置換若しくは置換アルコキシ基を表す。前記非置換または置換アルキル基としては、メチル基、エチル基、プロピル基、ブチル基、ベンジル基、トリフルオロメチル基等を挙げることができ、非置換または置換アルコキシ基としてはメトキシ基、エトキシ基、トリフルオロメトキシ基等を挙げることができる。ｎ１が２以上の整数の場合には、Ｒ１は複数の同一置換基からなるか、または複数の異なる置換基からなる。
【００１０】
Ａｒ１、Ａｒ２、Ａｒ３、Ａｒ１１、及びＡｒ２２は、互いに同一または異なる基であって、非置換または置換の芳香族炭化水素基を表す。ここで、非置換または置換の芳香族炭化水素基としては、フェニル基、メチルフェニル基、エチルフェニル基、プロピルフェニル基、ブチルフェニル基、ベンジルフェニル基、ジメチルフェニル基、トリメチルフェニル基、テトラメチルフェニル基、ジエチルフェニル基、トリフルオロメチル基、メトキシフェニル基、エトキシフェニル基、ブトキシフェニル基、フェノキシフェニル基、ジメトキシフェニル基、クロロフェニル基、ブロモフェニル基、フルオロフェニル基、シアノフェニル基、メトキシカルボニルフェニル基、ニトロフェニル基、ビフェニリル基、ターフェニリル基、クアテルフェニリル基、ナフチル基、アントリル基、フェナントレニル基、ピレニル基等を挙げることが出来る。
【００１１】
また、本発明の第二は一般式（１）で表わされる化合物の製造方法であり、前記一般式（２）で表わされる化合物と一般式（３）で表わされる化合物とを反応させる工程を含む。一般式（２）で表されるアリールハライドと、一般式（３）で表されるジアリールアミンとを、溶媒中、必要により触媒の存在下塩基を作用せしめることにより行なうことができる。
【００１２】
この反応において、アリールハライドとジアリールアミンとの量比は、化学量論的に等量、すなわちアリールハライド１モルに対しジアリールアミン１モルを基本とするが、原料コストや目的物の単離の容易さ等の経済性を考慮し、適宜変化させることができる。
【００１３】
一般式（２）におけるＸは、塩素、臭素、またはヨウ素であるが、反応のしやすさを考慮すると臭素、ヨウ素が好ましい。また、一般式（２）及び（３）において、Ｒ１０、Ａｒ１０、Ａｒ２０、Ａｒ３０、Ａｒ１１０及びＡｒ２２０は、それぞれ一般式（１）におけるＲ１、Ａｒ１、Ａｒ２、Ａｒ３、Ａｒ１１、及びＡｒ２２に対応するものであり、その具体例としてもＲ１、Ａｒ１、Ａｒ２、Ａｒ３、Ａｒ１１、及びＡｒ２２について前述したものと同様のものを挙げることができる。
【００１４】
反応に使用される触媒としては、銅、銅化合物、ニッケルやパラジウムなどの遷移金属、遷移金属化合物あるいはその錯体が挙げられる。具体的な例としては銅紛、塩化銅、塩化ニッケル（ＩＩ）、ビス（トリフェニルフォスフィン）ニッケル（ＩＩ）クロライド、［１，１’−ビス（ジフェニルフォスフィノ）フェロセン］ニッケル（ＩＩ）ジクロライド、塩化パラジウム（ＩＩ）、酢酸パラジウム（ＩＩ）、ジクロロビス（ベンゾニトリル）パラジウム（ＩＩ）、ジクロロビス（トリフェニルフォスフィン）パラジウム（ＩＩ）、トリス（ジベンジリデンアセトン）二パラジウム（０）、トリス（ジベンジリデンアセトン）二パラジウムクロロホルム錯体（０）、テトラキス（トリフェニルフォスフィン）パラジウム（０）及びトリ−ｔｅｒｔ−ブチルフォスフィンパラジウム等が挙げられる。触媒の使用量は、特に制限されるものではないが通常、一般式（３）で表されるジアリールアミン１モルに対し、金属原子換算で０．００００１〜２０．０モル％である。経済性等を考慮すれば、より好ましくは一般式（３）で表されるジアリールアミン１モルに対し０．００１〜１０．０モル％程度である。
【００１５】
また、反応に使用される塩基としては、炭酸カリウム、炭酸ナトリウム、炭酸水素ナトリウム、水酸化カリウムあるいは水酸化ナトリウム、リン酸カリウムなどの無機塩基、ナトリウムメトキシド、ナトリウムエトキシド、リチウム−ｔｅｒｔ−ブトキシド、ナトリウム−ｔｅｒｔ−ブトキシド、カリウム−ｔｅｒｔ−ブトキシド等のアルカリ金属アルコキシド、トリエチルアミン、トリエタノールアミン、ピリジンあるいはヘキサメチレンテトラミン等の有機塩基が挙げられる。その使用量は、一般式（３）で表されるジアリールアミン１モルに対し、０．５〜１０．０倍モルとすることができる。目的物の単離のし易さ等を考慮すれば、１．０〜３．０倍モル程度がより好ましい。
【００１６】
本発明における反応は、通常不活性溶媒下で行なうことができる。反応溶媒の例としてはベンゼン、トルエン、キシレン、メシチレン、クロルベンゼン、ニトロベンゼン等の芳香族炭化水素、ジエチルエーテル、テトラヒドロフラン、ジオキサン等のエーテル類、その他アセトニトリル、Ｎ，Ｎ−ジメチルホルムアミド、ジメチルスルホキシド等の有機溶媒が挙げられるが、これらの中でより好ましいのは芳香族炭化水素である。
【００１７】
本発明による反応は、空気を遮断した状態で行われることが好ましく、一般には常圧下、窒素やアルゴンなどの不活性ガス雰囲気下で行なうことができる。勿論、耐圧容器中、密閉系での反応も可能である。
【００１８】
反応の温度としては、室温ないし約３００°Ｃで行なうことができるが、通常約５０°Ｃないし約２００°Ｃ程度で行うことが好ましい。反応時間としては、一般に反応温度との関係で左右されることもあるが、通常３０分ないし１００時間程度であるが、各原料の組み合わせにより、適宜選択されるべきである。
【００１９】
反応終了後、反応混合物から目的物を得るには、目的物が沈殿として析出している場合であればろ過により、目的物が溶媒に溶解している場合であれば濃縮や貧溶媒による希釈などにより粗製品を取り出し、好ましくは水洗などによって無機分を取り除いてから、カラムクロマトグラフィーや再結晶、あるいは昇華精製などの一般的な精製方法によって純粋な目的物を得ることが出来る。
【００２０】
次に、本発明の一般式（１）で表される化合物の具体例を表１から表３に示すが、本発明はこれらに限定されるものではない。
【００２１】
【表１】
2004059557.tif 000005
【００２２】
【表２】
2004059557.tif 000006
【００２３】
【表３】
2004059557.tif 000007
【００２４】
先にも述べた様に、本発明による一般式（１）で表される化合物は、有機電界発光素子の構成材料として有用であり、発光層における発光材料やホスト材料、あるいは正孔輸送材料等として優れたものである。本発明により提供されるそれら化合物、ならびにその製造方法は、高輝度発光で高耐久な有機電界発光素子の実現に大きく貢献するものである。
【００２５】
【実施例】
以下に本発明を実施例により更に詳細に説明するが、本発明はこれらに限定されるものではない。
【００２６】
（実施例１）
化合物番号（４）の製造例
（触媒溶液の調製）
アルゴン気流下、酢酸パラジウム０．２７７ｇ、トリ（ｔｅｒｔ−ブチル）フォスフィン１．０ｇ及びオルトキシレン６１．８ｍｌを８０℃で３０分間攪拌して触媒溶液を調製した。
【００２７】
（化合物番号（４）の製造）
アルゴン気流下、４−ブロモターフェニル２．１２ｇ、４−アミノテトラフェニルメタン１．１５ｇ、カリウム−ｔｅｒｔ−ブトキシド０．９７２ｇ、上記の触媒溶液０．９ｍｌ及びオルトキシレン２０ｍｌから成る混合物を、１２５℃で１７時間加熱攪拌した。放冷後、エタノール約７０ｍｌを加えてから沈殿物を濾取し、水洗、エタノール洗浄、更に水洗してから乾燥し、僅かに灰色に着色した白色の粉末を得た。この粉末を、固定相シリカゲル、移動相トルエンにてカラムクロマトグラフィーにかけ、白色の結晶を分取した。この結晶を、更にトルエン及びエタノールの混合溶媒にて再結晶し、無色針状結晶１．４７ｇ（収率５４％）を得た。この結晶の融点は２３７．０〜２３８．５℃であった。このものの元素分析値は、炭素９２．３４％（化合物番号（４）としての計算値９２．５０％）、水素５．５８％（化合物番号（４）としての計算値５．７３％）、窒素１．６６％（（化合物番号（４）としての計算値１．７７％）であった。赤外線吸収スペクトル（ＫＢｒ錠剤法）では芳香環に起因する伸縮振動を１６００ｃｍ−１付近に認め、プロトン核磁気共鳴スペクトル（溶媒ＣＤＣｌ３、内部標準ＴＭＳ）では芳香環環プロトンをδ＝７．２〜７．７ｐｐｍ（４５Ｈ）に認めた。また、マススペクトルでは、分子イオンピークｍ／ｚ＝７９１が観測され、以上のことより上記で得られた化合物は化合物番号（４）であることを確認した。
【００２８】
（実施例２）
本発明に関わるテトラアリールメタン誘導体を、正孔輸送材料として用いる図１に示す構成の有機電界発光素子を作製した。
【００２９】
陽極１として、透明電極であるインジウム錫酸化物の薄膜をあらかじめ形成したガラス基板（以下ＩＴＯガラス基板と略記する）を用意し、この電極上に、正孔輸送層２、発光層３、電子輸送層４、陰極５を順次蒸着により形成して、素子を作製した。
【００３０】
具体的には、先ず、ＩＴＯガラス基板、正孔輸送材料として化合物番号（４）のテトラアリールメタン誘導体、発光材料として特開平３−２３１９７０号公報に記載の４，４’−ビス（２，２−ジフェニルビニル）ビフェニル、電子輸送材料としてトリス（８−ヒドロキシキノリノ）アルミニウム（以下Ａｌｑと略記する）を真空蒸着装置にセットし、１０−４Ｐａまで排気した。次にＩＴＯガラス基板の電極上に、化合物番号（４）のテトラアリールメタン誘導体を０．１〜０．５ｎｍ／秒の蒸着速度で蒸着し、正孔輸送層を５０ｎｍ形成した。次いで４，４’−ビス（２，２−ジフェニルビニル）ビフェニルを０．１〜０．５ｎｍ／秒の蒸着速度で蒸着し、発光層を５０ｎｍ形成した。続いてＡｌｑを０．１ｎｍ／秒の速度で蒸着し、膜厚１０ｎｍの電子輸送層を形成した。さらにアルミニウム／リチウム電極（以下Ａｌ／Ｌｉ電極と略記する）の蒸着を０．５ｎｍ／秒の速度で行い、その厚さを１５０ｎｍとした。これらの蒸着はいずれも真空を破らずに連続して行い、また膜厚は水晶振動子によってモニターすることにより制御した。素子作製後、直ちに乾燥窒素中で電極の取り出しを行い、有機電界発光素子を作成した。
【００３１】
この様にして作成した素子に、電圧を印加したところ、均一な青色の発光が得られた。その発光スペクトルのピーク波長は４５０ｎｍであり、１００ｍＡ／ｃｍ２の電流を印加した場合の駆動電圧ならびに発光輝度を測定したところ、駆動電圧は７Ｖ、発光輝度は１０００ｃｄ／ｍ２であった。
【００３２】
【発明の効果】
上述のように、本発明の化合物を用いた有機電界発光素子は、発光特性に優れ、且つ、安定性にも優れた長寿命の素子である。従って、本発明の化合物ならびにそれらの製造方法は、工業的に極めて重要なものであると言える。
【図面の簡単な説明】
【図１】本発明の化合物を用いた有機電界発光素子を示す断面図である。
【符号の説明】
１　陽極
２　正孔輸送層
３　発光層
４　電子輸送層
５　陰極
【図１】
2004059557.tif 000012